(57)【要約】【課題】簡易な構造で、容易かつ確実にピンを高密度に配置し得る可動式ピンアレイおよび可動式ピンアレイの製造方法を提供する。【解決手段】可動式ピンアレイ１は、複数のピン３と、前記各ピン３を可動自在に支持するガイド部２とを有し、前記ガイド部２は、複数の挿通孔２１を有する複数の板状体２０を、対応する前記各挿通孔２１が積層方向に連通して複数の通路２４が形成されるように積層してなる積層体を有し、前記各通路２４にそれぞれ前記各ピン３を可動自在に設けたことを特徴とする。【選択図】図１
2004354634.tif 000002
【特許請求の範囲】
【請求項１】
複数のピンと、前記各ピンを可動自在に支持するガイド部とを有する可動式ピンアレイであって、
前記ガイド部は、複数の挿通孔を有する複数の板状体を、対応する前記各挿通孔が積層方向に連通して複数の通路が形成されるように積層してなる積層体を有し、前記各通路にそれぞれ前記各ピンを可動自在に設けたことを特徴とする可動式ピンアレイ。
【請求項２】
前記各板状体において、それぞれ、隣り合う前記挿通孔は、スリット部により繋がっている請求項１に記載の可動式ピンアレイ。
【請求項３】
前記各板状体には、それぞれ、前記各挿通孔を含む一筆書き状の開口が形成されている請求項１または２に記載の可動式ピンアレイ。
【請求項４】
積層前における前記各板状体の前記開口のパターンは、略同一である請求項３に記載の可動式ピンアレイ。
【請求項５】
隣り合う前記板状体の前記開口のパターンが互いに異なるように、前記各板状体が積層されている請求項３または４に記載の可動式ピンアレイ。
【請求項６】
前記開口は、並設された複数の帯状の部位を有し、前記各帯状の部位の一方の端部および他方の端部は、それぞれ、一列置きに繋がり、かつ、前記一方の端部側と前記他方の端部側とで、前記繋がった部位が交互に位置している請求項３または４に記載の可動式ピンアレイ。
【請求項７】
隣り合う前記板状体において、前記帯状の部位の端部の繋がった部位と前記帯状の部位の端部の繋がっていない部位とが対応するように、前記各板状体が積層されている請求項６に記載の可動式ピンアレイ。
【請求項８】
一つ置きの前記板状体において、前記帯状の部位の端部の繋がった部位同士が対応するように、前記各板状体が積層されている請求項６または７に記載の可動式ピンアレイ。
【請求項９】
前記各通路の内面にそれぞれ凹部が形成されるように、前記各板状体が積層されている請求項１ないし８のいずれかに記載の可動式ピンアレイ。
【請求項１０】
前記各挿通孔は、それぞれ、放電加工により形成されたものである請求項１ないし９のいずれかに記載の可動式ピンアレイ。
【請求項１１】
複数のピンと、前記各ピンを可動自在に支持するガイド部とを有する可動式ピンアレイであって、
前記ガイド部は、所定形状の複数の板状体を、隣り合う前記板状体の間に前記各ピンが挿入される複数の通路が形成されるように積層してなる積層体を有し、前記各通路にそれぞれ前記各ピンを可動自在に設けたことを特徴とする可動式ピンアレイ。
【請求項１２】
前記各板状体の形状は、それぞれ、略波状をなしている請求項１１に記載の可動式ピンアレイ。
【請求項１３】
前記各通路の内面と、前記各ピンの表面とのうちの少なくとも一方には、フッ素樹脂の膜が設けられている請求項１ないし１２のいずれかに記載の可動式ピンアレイ。
【請求項１４】
前記各ピンは、それぞれ、前記通路に可動自在に挿着されるピン本体と、前記ガイド部の両端から突出する前記ピン本体の両端部にそれぞれ設けられ、前記通路よりも大きい頭部とを有する請求項１ないし１３のいずれかに記載の可動式ピンアレイ。
【請求項１５】
前記各ピンの両頭部は、それぞれ、筒状をなし、該頭部に前記ピン本体が挿入されている請求項１４に記載の可動式ピンアレイ。
【請求項１６】
複数のピンと、前記各ピンを可動自在に支持するガイド部とを有する可動式ピンアレイの製造方法であって、
複数の挿通孔を有する複数の板状体を、対応する前記各挿通孔が積層方向に連通して複数の通路が形成されるように積層し、その積層体を有するガイド部を形成するガイド部形成工程と、
前記ガイド部形成工程で形成した前記ガイド部の各通路にそれぞれピンを可動自在に取り付けるピン取付け工程とを有することを特徴とする可動式ピンアレイの製造方法。
【請求項１７】
複数のピンと、前記各ピンを可動自在に支持するガイド部とを有する可動式ピンアレイの製造方法であって、
所定形状の複数の板状体を、隣り合う前記板状体の間に前記各ピンが挿入される複数の通路が形成されるように積層し、その積層体を有するガイド部を形成するガイド部形成工程と、
前記ガイド部形成工程で形成した前記ガイド部の各通路にそれぞれピンを可動自在に取り付けるピン取付け工程とを有することを特徴とする可動式ピンアレイの製造方法。
【発明の詳細な説明】
【０００１】
【発明の属する技術分野】
本発明は、可動式ピンアレイおよび可動式ピンアレイの製造方法に関するものである。
【０００２】
【従来の技術】
従来、触覚情報を提示（表示）する触覚ディスプレイに用いられる可動式ピンアレイの一例として、所定の間隔ごとに互いに平行をなすように設けられる複数のピンと、これらの複数のピンを駆動させる駆動機構とを備えたものが知られている（例えば、特許文献１参照）。
【０００３】
この場合、複数のピンは、表板に設けた貫通孔内に挿着されることにより上下方向に可動自在に支持され、各ピンは上下方向に移動することにより先端が表板の表面から出没するようになっている。
また、駆動機構は、表板の下方に設けられる上プレートと下プレートとの間で保持されるステッピングモータ、ステッピングモータのシャフトの回転運動を直線運動に変換する直線移動機構等から構成されている。
【０００４】
直線移動機構は、ステッピングモータのシャフトの先端部に螺設される雄ネジと、雄ネジと相互に螺合するピンの内面に螺設される雌ネジと、ピンを上下方向に移動可能に支持する表板の下面側に設けられる案内棒とから構成されている。そして、ステッピングモータを駆動させてシャフトを回転させることにより、シャフトの雄ネジのピンの雌ネジに対する相対的な螺合位置が変化してピンが上方または下方に移動し、ピンの先端が表板の表面から出没する。このようにして、複数のピンの先端により、触角情報として所定の凹凸パターンが提示され、この凹凸パターンを手指で触れることにより、所定の情報を認識することができる。
【０００５】
しかしながら、上記のような構成の従来の可動式ピンアレイにあっては、表板に設けた貫通孔内にピンを挿着することによりピンを上下方向に可動自在に支持し、ピンの内面に螺設した雌ネジとステッピングモータのシャフトに螺設した雄ネジとを相互に螺合させることにより、ステッピングモータの回転運動を直線運動に変換してピンを上下方向に可動させ、ピンがシャフトに対して回転するのを防止するために表板の下面側に案内棒を設けているため、各ピンを支持する部分の構造が複雑になってしまい、加工、組立てに手間がかかり、製造コストが高くなってしまう。
また、構造上、ピンを細く、隣接するピン間のピッチを狭くすることが困難である（ピンを高密度に配置することが困難である）。このため、微細な凹凸パターンを提示することができないという欠点がある。
【０００６】
【特許文献１】
特開平８−４４２８９号公報
【０００７】
【発明が解決しようとする課題】
本発明の目的は、簡易な構造で、容易かつ確実にピンを高密度に配置し得る可動式ピンアレイおよび可動式ピンアレイの製造方法を提供することにある。
【０００８】
【課題を解決するための手段】
このような目的は、下記の本発明により達成される。
本発明の可動式ピンアレイは、複数のピンと、前記各ピンを可動自在に支持するガイド部とを有する可動式ピンアレイであって、
前記ガイド部は、複数の挿通孔を有する複数の板状体を、対応する前記各挿通孔が積層方向に連通して複数の通路が形成されるように積層してなる積層体を有し、前記各通路にそれぞれ前記各ピンを可動自在に設けたことを特徴とする。
【０００９】
これにより、ガイド部の構造を簡易にすることができ、また、加工、組立てを容易にすることができる。また、製造コストを低減することができ、安価なものを提供することができる。
また、ピンの通路を細く、隣接するピンの通路間のピッチを狭くすることができ（ピンの通路を高密度に配置することができ）、ピンを細く、隣接するピン間のピッチを狭くすることができる（ピンを高密度に配置することができる）。これにより、本発明の可動式ピンアレイを、触覚情報を提示（表示）する触覚ディスプレイ（触覚ディスプレイの表示部）に適用した場合において、微細な凹凸パターンを提示することができる。
【００１０】
本発明の可動式ピンアレイでは、前記各板状体において、それぞれ、隣り合う前記挿通孔は、スリット部により繋がっているのが好ましい。
本発明の可動式ピンアレイでは、前記各板状体には、それぞれ、前記各挿通孔を含む一筆書き状の開口が形成されているのが好ましい。
本発明の可動式ピンアレイでは、積層前における前記各板状体の前記開口のパターンは、略同一であるのが好ましい。
これにより、同一形状の板状体でガイド部を形成することができるので、加工、組立てを容易にすることができ、また、製造コストを低減することができる。
【００１１】
本発明の可動式ピンアレイでは、隣り合う前記板状体の前記開口のパターンが互いに異なるように、前記各板状体が積層されているのが好ましい。
これにより、ガイド部の強度を向上させることができる。
本発明の可動式ピンアレイでは、前記開口は、並設された複数の帯状の部位を有し、前記各帯状の部位の一方の端部および他方の端部は、それぞれ、一列置きに繋がり、かつ、前記一方の端部側と前記他方の端部側とで、前記繋がった部位が交互に位置しているのが好ましい。
【００１２】
本発明の可動式ピンアレイでは、隣り合う前記板状体において、前記帯状の部位の端部の繋がった部位と前記帯状の部位の端部の繋がっていない部位とが対応するように、前記各板状体が積層されているのが好ましい。
これにより、ガイド部の強度を向上させることができる。
本発明の可動式ピンアレイでは、一つ置きの前記板状体において、前記帯状の部位の端部の繋がった部位同士が対応するように、前記各板状体が積層されているのが好ましい。
これにより、板状体の開口パターンを少なくしつつ、ガイド部の強度を向上させることができる。
【００１３】
本発明の可動式ピンアレイでは、前記各通路の内面にそれぞれ凹部が形成されるように、前記各板状体が積層されているのが好ましい。
これにより、ピンの側面と通路の内面（壁面）との真空吸着を防止（または抑制）することができ、ピンの可動（移動）を円滑に行うことができる。
また、前記凹部を、例えば、潤滑油等の潤滑剤を貯留する貯留部として利用することができる。すなわち、凹部に、例えば、潤滑油等の潤滑剤を供給し、貯留しておくことにより、ピンの可動をより円滑に行うことができ、また、その潤滑効果が長期間得られ、これによりピンの安定した動作が長期的に得られる。
本発明の可動式ピンアレイでは、前記各挿通孔は、それぞれ、放電加工により形成されたものであるのが好ましい。
これにより、前記各挿通孔は、それぞれ、所定の形状、寸法に、容易、迅速かつ精度良く形成される。
【００１４】
本発明の可動式ピンアレイは、複数のピンと、前記各ピンを可動自在に支持するガイド部とを有する可動式ピンアレイであって、
前記ガイド部は、所定形状の複数の板状体を、隣り合う前記板状体の間に前記各ピンが挿入される複数の通路が形成されるように積層してなる積層体を有し、前記各通路にそれぞれ前記各ピンを可動自在に設けたことを特徴とする。
【００１５】
これにより、ガイド部の構造を簡易にすることができ、また、加工、組立てを容易にすることができる。また、製造コストを低減することができ、安価なものを提供することができる。
また、ピンの通路を細く、隣接するピンの通路間のピッチを狭くすることができ（ピンの通路を高密度に配置することができ）、ピンを細く、隣接するピン間のピッチを狭くすることができる（ピンを高密度に配置することができる）。これにより、本発明の可動式ピンアレイを、触覚情報を提示（表示）する触覚ディスプレイ（触覚ディスプレイの表示部）に適用した場合において、微細な凹凸パターンを提示することができる。
【００１６】
本発明の可動式ピンアレイでは、前記各板状体の形状は、それぞれ、略波状をなしているのが好ましい。
これにより、奇数列のピンの通路と偶数列のピンの通路とを、互いに半ピッチずらすことができ、ピンを高密度に配置することができる。
本発明の可動式ピンアレイでは、前記各通路の内面と、前記各ピンの表面とのうちの少なくとも一方には、フッ素樹脂の膜が設けられているのが好ましい。
これにより、ガイド部のピンとの接触面の撥水性、耐食性、耐酸性、耐摩耗性等を向上させることができ、また、ピンに対する摩擦が低減され、様々な使用環境において優れた耐久性を発揮することができるとともに、ピンをより円滑に可動（移動）させることができる。
【００１７】
本発明の可動式ピンアレイでは、前記各ピンは、それぞれ、前記通路に可動自在に挿着されるピン本体と、前記ガイド部の両端から突出する前記ピン本体の両端部にそれぞれ設けられ、前記通路よりも大きい頭部とを有するのが好ましい。これにより、ガイド部からピンが脱落するのが防止され、ピンの安定した動作が長期的に得られることになる。
本発明の可動式ピンアレイでは、前記各ピンの両頭部は、それぞれ、筒状をなし、該頭部に前記ピン本体が挿入されているのが好ましい。
これにより、ガイド部へのピンの挿着を容易かつ確実に行うことができる。
【００１８】
本発明の可動式ピンアレイの製造方法は、複数のピンと、前記各ピンを可動自在に支持するガイド部とを有する可動式ピンアレイの製造方法であって、
複数の挿通孔を有する複数の板状体を、対応する前記各挿通孔が積層方向に連通して複数の通路が形成されるように積層し、その積層体を有するガイド部を形成するガイド部形成工程と、
前記ガイド部形成工程で形成した前記ガイド部の各通路にそれぞれピンを可動自在に取り付けるピン取付け工程とを有することを特徴とする。
【００１９】
これにより、ガイド部の構造を簡易にすることができ、また、加工、組立てを容易にすることができる。また、これにより、製造コストを低減することができ、安価なものを提供することができる。
また、ピンの通路を細く、隣接するピンの通路間のピッチを狭くすることができ（ピンの通路を高密度に配置することができ）、ピンを細く、隣接するピン間のピッチを狭くすることができる（ピンを高密度に配置することができる）。これにより、本発明により製造された可動式ピンアレイを、触覚情報を提示（表示）する触覚ディスプレイ（触覚ディスプレイの表示部）に適用した場合において、微細な凹凸パターンを提示することができる。
【００２０】
本発明の可動式ピンアレイの製造方法は、複数のピンと、前記各ピンを可動自在に支持するガイド部とを有する可動式ピンアレイの製造方法であって、
所定形状の複数の板状体を、隣り合う前記板状体の間に前記各ピンが挿入される複数の通路が形成されるように積層し、その積層体を有するガイド部を形成するガイド部形成工程と、
前記ガイド部形成工程で形成した前記ガイド部の各通路にそれぞれピンを可動自在に取り付けるピン取付け工程とを有することを特徴とする。
【００２１】
これにより、ガイド部の構造を簡易にすることができ、また、加工、組立てを容易にすることができる。また、これにより、製造コストを低減することができ、安価なものを提供することができる。
また、ピンの通路を細く、隣接するピンの通路間のピッチを狭くすることができ（ピンの通路を高密度に配置することができ）、ピンを細く、隣接するピン間のピッチを狭くすることができる（ピンを高密度に配置することができる）。これにより、本発明により製造された可動式ピンアレイを、触覚情報を提示（表示）する触覚ディスプレイ（触覚ディスプレイの表示部）に適用した場合において、微細な凹凸パターンを提示することができる。
【００２２】
【発明の実施の形態】
以下、本発明の可動式ピンアレイおよび可動式ピンアレイの製造方法を添付図面に示す好適実施形態に基づいて詳細に説明する。
ここで、以下の実施形態では、本発明の可動式ピンアレイを、触覚情報を提示（表示）する触覚ディスプレイ（触覚ディスプレイの表示部）に適用した場合について説明するが、本発明の可動式ピンアレイの用途は、これに限定されるものではない。
また、構造を判り易くするためや、説明し易いように、ピンの数が比較的少ない可動式ピンアレイを図示して説明を行うが、本発明の可動式ピンアレイのピンの数は、これに限定されるものではない。
【００２３】
（第１実施形態）
図１は、本発明の可動式ピンアレイの第１実施形態を示す斜視図、図２は、図１に示す可動式ピンアレイの側面図、図３は、図１に示す可動式ピンアレイの平面図である。
これらの図に示す可動式ピンアレイ１は、触覚情報を提示する触覚ディスプレイに用いられるものであって、触覚情報を提示（表示）する複数の触知素子として、複数のピン３と、複数のピン３を可動（移動）自在に支持するガイド部（ガイド手段）２とを備えている。
【００２４】
ガイド部２の外形（全体形状）は、本実施形態では、直方体形状をなしており、このガイド部２には、図１中、上下方向に貫通した複数の通路（孔部）２４が設けられている。本実施形態では、各通路２４の形状は、それぞれ、円柱状をなしており（各通路２４の横断面形状は、それぞれ、円形状をなしており）、各通路２４は、それぞれ、同一内径に形成されている。また、本実施形態では、各通路２４は、互いに平行になるように設けられている。
このガイド部２は、各通路２４内に、それぞれ後述するピン３のピン本体３１が可動（移動）自在に挿着（設置）されるようになっており、各ピン３の移動方向をそれぞれ規制するガイドとして機能する。すなわち、ガイド部２は、各ピン３を、それぞれ、その長手方向（軸方向）にのみ移動し得るように支持する。
【００２５】
このガイド部２は、複数の挿通孔２１を有する複数の板状体２０を積層してなる積層体で構成されている。各板状体２０は、対応する各挿通孔２１が積層方向（図１中、上下方向）に連通（結合）して前記各通路２４が形成されるように積層されている。この積層体は、各板状体２０が積層された状態（積層状態）で保持されるように、接合手段（保持手段）によって接合（保持）されている。接合手段としては、特に限定されず、例えば、接着剤（接着）、ろう材（ろう付け）、保持部材（例えば、枠状体、ボルトとナット、ピン等）等が挙げられる。
【００２６】
接着剤としては、各板状体２０の材質に応じたものを選択して使用すればよく、例えば、ゴム系、エポキシ系、アクリル系、シリコーン系等の接着剤が挙げられる。また、ろう付け用のろう材としては、各板状体２０の材質に応じたものを選択して使用すればよく、各板状体２０よりも低融点の金属、例えば、銅、ニッケル、金、銀等が挙げられる。
【００２７】
また、ガイド部２の各通路２４の内周面（ピン３との接触面）には、それぞれ、フッ素樹脂の膜が設けられているのが好ましい。フッ素樹脂の膜を形成する方法は各種あり、特に限定されないが、Ｎｉ−Ｐメッキ（電解メッキ、無電解メッキの両方可能）にＰＴＦＥ（ポリ４フッ化エチレン）を共析メッキさせる方法が好ましい。これにより、ガイド部２のピン３との接触面の撥水性、耐食性、耐酸性、耐摩耗性等を向上させることができ、また、ピン３に対する摩擦が低減され、様々な使用環境において優れた耐久性を発揮することができるとともに、ピン３をより円滑に可動させることができる。
ここで、前記フッ素樹脂の膜を設ける箇所を、前記通路２４の内周面に代えて、ガイド部２の各通路２４の内周面と接触する各ピン３の表面（外面）、すなわち、各通路２４の内周面と接触する各ピン本体３１の表面としてもよく、また、通路２４の内周面とピン３（ピン本体３１）の表面の両方としてもよい。
【００２８】
図４は、図１に示す可動式ピンアレイのガイド部の板状体を示す平面図である。
図４に示すように、ガイド部２の各板状体２０は、それぞれ、薄型の板状構造を有している。また、各板状体２０は、それぞれ、所定の間隔を隔てて形成され、所定の配列をなす複数の挿通孔２１を有しており、各板状体２０において、それぞれ、隣接する（隣り合う）挿通孔２１は、スリット部２２により繋がっている。すなわち、各板状体２０には、それぞれ、各挿通孔２１を含む一筆書き状の所定パターンの開口５１が形成されている。
【００２９】
本実施形態では、各板状体２０が積層された状態において、図４（ａ）に示す、挿通孔２１がスリット部２２により略Ｓ字状に繋がれている板状体２０、すなわち、略Ｓ字状の開口５１が形成されている板状体２０と、図４（ｂ）に示す、挿通孔２１がスリット部２２により略逆Ｓ字状に繋がれている板状体２０、すなわち、略逆Ｓ字状の開口５１が形成されている板状体２０とが存在する。以下、前記略Ｓ字状の開口が形成されている板状体を、単に、「Ｓ字状の開口の板状体」と言い、略逆Ｓ字状の開口が形成されている板状体を、単に、「逆Ｓ字状の開口の板状体」と言う。
ここで、積層前における各板状体２０の開口５１のパターンは、同一であってもよく、また、異なっていてもよい。
すなわち、前記Ｓ字状の開口５１の板状体２０と、前記逆Ｓ字状の開口５１の板状体２０とをそれぞれ複数用意し（作成し）、これらを積層してもよい。
【００３０】
また、方向を変えることで前記２パターンの開口５１が得られる同一形状（１種類）の板状体２０を複数用意し（作成し）、その方向を変えて、板状体２０を積層してもよい。これにより、同一形状の板状体２０でガイド部２を形成することができるので、加工、組立てを容易にすることができ、また、製造コストを低減することができる。
なお、図４（ａ）に示すＳ字状の開口５１の板状体２０を裏返すことでその方向を変えると、図４（ｂ）に示す逆Ｓ字状の開口５１の板状体２０となる（逆も同様である）ので、これらのうちのいずれか一方を用意（作成）すればよい。
【００３１】
次に、前記板状体２０の開口５１のパターンをさらに詳細に説明する。
図８は、説明し易いように、図４に示す板状体よりも挿通孔を多く形成した板状体を示す平面図である。なお、図８（ａ）と図８（ｂ）との関係は、図４（ａ）と図４（ｂ）との関係と略同様である。
図８に示すように、板状体２０には、図８中、左右方向に、直線状に等間隔で形成された挿通孔２１の列が、複数列形成されている。隣り合う列の挿通孔２１は、図８中、左右方向に、互いに、半ピッチずれている。これらの挿通孔２１は、それぞれ、円形をなし、同一内径に形成されている。
【００３２】
また、前記各列において、それぞれ、隣り合う挿通孔２１は、スリット部２２により繋がっている。
また、前記各列の図８中左側の端部の挿通孔２１は、一列置きに、スリット部２２により繋がっており、同様に、右側の端部の挿通孔２１は、一列置きに、スリット部２２により繋がっている。この場合、前記左側の端部側と、前記右側の端部側とで、前記繋がった部位（スリット部２２）が交互に位置している。
【００３３】
このように、前記各挿通孔２１および各スリット部２２で構成された開口５１は、並設された複数の帯状の部位を有する。そして、この開口５１の前記各帯状の部位の図８中左側の端部および右側の端部は、それぞれ、一列置きに繋がり、かつ、前記左側の端部側と前記右側の端部側とで、前記繋がった部位が交互に位置している。
【００３４】
ここで、図８（ａ）に示す板状体２０においては、図８（ａ）中最も上側の列（第１列）と、上側から２番目の列（第２列）とは、左側の端部側で繋がり、一方、図８（ｂ）に示す板状体２０においては、図８（ｂ）中最も上側の列（第１列）と、上側から２番目の列（第２列）とは、右側の端部側で繋がっている。
なお、前述したように、図８（ａ）に示す板状体２０を裏返すことでその方向を変えると、図８（ｂ）に示す板状体２０となる（逆も同様である）ので、これらのうちのいずれか一方を用意（作成）すればよい。
【００３５】
前記各挿通孔２１の形成方法は、特に限定されないが、各挿通孔２１をワイヤー放電加工（放電加工）により形成するのが好ましい。すなわち、各挿通孔２１は、板状体２０の母材（挿通孔２１が形成されていない板状体）に対してワイヤー放電加工を施すことにより、順次、連続的に形成されるのが好ましい。これにより、微細な挿通孔２１を板状体２０に、容易かつ迅速に、精度良く、高密度に形成することができる。
なお、ワイヤー放電加工により各挿通孔２１を連続的に形成すると、前述した各スリット部２２が形成され、各スリット部２２を介して隣り合う挿通孔２１がそれぞれ繋がり、前述した単一の開口５１が形成される。
【００３６】
各板状体２０の構成材料としては、それぞれ、例えば、ステンレス鋼、銅、銅合金、アルミニウム、アルミニウム合金等の各種金属、各種樹脂、各種セラミックス等を用いることができるが、これらのうち、各種の金属が好ましい。板状体２０を金属製とすることにより、前記ワイヤー放電加工により、板状体２０に挿通孔２１を形成することができる。
また、前述したように、各板状体２０の各挿通孔２１の内周面には、それぞれ、フッ素樹脂の膜が設けられているのが好ましい。
【００３７】
図５は、図１に示す可動式ピンアレイのピンを示す側面図である。
図１および図５に示すように、各ピン３は、それぞれ、ガイド部２によって可動自在に支持されるピン本体（シャフト部）３１と、ガイド部２の両端から突出するピン本体３１の両端部にそれぞれ設けられる頭部３２ａ、３２ｂとで構成されており、これらのピン３の一方の頭部（触知部）３２ａによって所定の凹凸パターン（触覚情報）が提示される。
【００３８】
各ピン本体３１は、それぞれ、本実施形態では、横断面での形状が円形状をなす棒状体であって、同一長さ、同一外径（直径）に形成されている。
各ピン本体３１の構成材料としては、それぞれ、例えば、ステンレス鋼、銅、銅合金、アルミニウム、アルミニウム合金等の各種金属、各種樹脂、各種セラミックス等を用いることができる。
【００３９】
前記ガイド部２の厚さ（ピン３の長手方向におけるガイド部２の長さ）は、ピン本体３１の両端部がガイド部２の図１中、上下方向の両端から所定量突出するように設定されており、ガイド部２の両端から突出する各ピン本体３１の両端部には、それぞれ頭部３２ａ、３２ｂが一体に設けられている。
頭部３２ａは、触覚情報の提示側（表示面側）に配置され、ユーザーに対して触覚情報を提示する（ユーザーにより触れられる）触知部を構成する。一方、頭部３２ｂは、前記と反対側（内部側）に配置される。
【００４０】
各頭部３２ａ、３２ｂは、それぞれ、本実施形態では、円筒状（筒状）をなし、同一長さ、同一内径、同一外径に形成され、各ピン３の全長が同一となるように各ピン本体３１の両端部に挿入された状態で固着手段により固着されている。各頭部３２ａ、３２ｂの構成材料としては、それぞれ、例えば、ステンレス鋼、銅、銅合金、アルミニウム、アルミニウム合金等の各種金属、各種樹脂、各種セラミックス等を用いることができる。
【００４１】
固着手段としては、例えば、嵌合、接着剤（接着）、ろう材（ろう付け）等や、これらのうちの任意の２以上の組合せが挙げられる。嵌合の場合には、ピン本体３１と頭部３２ａ、３２ｂとの嵌め合いをきつくして、ピン３の可動時に頭部３２ａ、３２ｂがピン本体３１から抜けないようにする。また、接着剤またはろう付けの場合には、例えば、ピン本体３１と頭部３２ａ、３２ｂとの嵌め合いを緩くする。
【００４２】
接着剤としては、ピン本体３１、頭部３２ａ、３２ｂの材質に応じたものを選択して使用すればよく、例えば、ゴム系、エポキシ系、アクリル系、シリコーン系等の接着剤が挙げられる。また、ろう付け用のろう材としては、ピン本体３１、頭部３２ａ、３２ｂの材質に応じたものを選択して使用すればよく、ピン本体３１、頭部３２ａ、３２ｂよりも低融点の金属、例えば、銅、ニッケル、金、銀等が挙げられる。
【００４３】
各頭部３２ａ、３２ｂは、それぞれ、その外径（直径）が、各通路２４（挿通孔２１）の内径（直径）よりも大きく、かつ隣接する通路２４、２４間のピッチ（隣接する挿通孔２１、２１間のピッチ）よりも小さく形成されている。これにより各頭部３２ａ、３２ｂが、ストッパーとして機能し、各ピン３がガイド部２から脱落するのが防止されるとともに、各ピン３の可動時に隣接する頭部３２ａ、３２ａ同士、隣接する３２ｂ、３２ｂ同士が互いに接触するのが防止される。
【００４４】
この可動式ピンアレイ１の各ピン３は、それぞれ、例えば、駆動機構（図示せず）に連結され、駆動機構の駆動によりその長手方向（図１中上下方向）に変位（移動）し、長手方向の所定の位置に保持（位置決め）されるようになっている。これにより、凹凸パターンによる触覚情報が複数のピン３の頭部３２ａによって提示（表示）され、この凹凸パターンを手指で触れることにより、所定の情報を認識することができる。
前記駆動機構としては、特に限定されず、例えば、ＡＣモータ、ＤＣモータ、ステッピングモータ（パルスモータ）等の小型モータと小型モータの回転を直線運動に変換する変換機構とを組み合わせたアクチュエータ、固定子と移動子とを組み合わせたリニア駆動素子等を用いることができる。
【００４５】
次に、上記のように構成した可動式ピンアレイ１の製造方法について説明する。
図６は、図１に示す可動式ピンアレイの組立斜視図、図７は、図１に示す可動式ピンアレイのガイド部の組立図である。
この可動式ピンアレイ１の製造方法は、複数のピン３を可動自在に支持するガイド部２を形成するガイド部形成工程と、複数のピン３をガイド部２に取り付けるピン取付け工程とを備えている。
【００４６】
ガイド部形成工程は、複数の挿通孔２１を有する複数の板状体２０を、対応する各挿通孔２１が積層方向に連通して複数の通路２４が形成されるように積層し、その積層体を有するガイド部２を形成する工程であって、下記の手順に従う。このガイド部形成工程では、まず、前記板状体２０を所定数作成する。この場合、板状体２０の母材（挿通孔２１が形成されていない例えば四角形状の板状体）に対し、ワイヤー放電加工（放電加工）を施し、各挿通孔２１をそれぞれ形成する。
【００４７】
次いで、複数枚の板状体２０を積層してガイド部２を形成する。この際、図７に示すように、前記Ｓ字状の開口５１の板状体２０と、前記逆Ｓ字状の開口５１の板状体２０とを交互に積み上げる。
この場合、例えば、前述したように、図４（ａ）に示すＳ字状の開口５１の板状体２０のみを所定数作成しておき、その板状体２０を裏返し、図４（ｂ）に示す逆Ｓ字状の開口５１の板状体２０として用いる。
また、板状体２０を積層する際、例えば、隣り合う板状体２０、２０間に、接着材２３を充填（滴下）し、隣り合う板状体２０、２０同士をその接着剤２３で接着（接合）する。これにより、積層体が接着剤２３によって積層状態で保持（固定）され、ガイド部２が形成される。
【００４８】
このように形成されたガイド部２においては、隣り合う板状体２０の開口５１のパターン（スリット部２２のパターン）は、互いに異なり、一つ置きの板状体２０の開口５１のパターン（スリット部２２のパターン）は、同一となる。
すなわち、隣り合う板状体２０において、開口５１の帯状の部位の端部の繋がった部位とその端部の繋がっていない部位とが対向（対応）し、一つ置きの板状体２０において、開口５１の帯状の部位の端部の繋がった部位同士が対向（対応）する。
これにより、ガイド部２の構造上の強度が高くなり、これによってガイド部２の変形や破損を防止（または抑制）することができる。
【００４９】
また、板状体２０を積層する際は、隣り合う板状体２０において、対応する挿通孔２１、２１同士が積層方向に一致するように、各板状体２０を積層する（図２参照）。なお、対応する挿通孔２１、２１同士を積層方向に一致させる方法（板状体２０の位置決め方法）については、後で説明する。
このように積層方向に揃えられた挿通孔２１の群は、ガイド部２内にて板状体２０の積層方向に連通し（結合され）、前述した通路２４を形成する。この通路２４は、一枚の板状体２０がそれぞれ有する挿通孔２１の数だけ形成される。
【００５０】
ピン取付け工程は、上記ガイド部形成工程で形成したガイド部２の各通路（孔部）２４に、それぞれ、ピン本体３１と頭部３２ａ、３２ｂとで構成されたピン３を可動自在に取り付ける工程であって、下記の手順に従う。
このピン取付け工程では、まず、図６に示すように、前述した構成のピン本体３１および頭部３２ａ、３２ｂをそれぞれ複数用意し、各ピン本体３１の一端部に、それぞれ、頭部３２ａを固着手段により固着させる。
【００５１】
次いで、この状態で各ピン本体３１を、それぞれ、ガイド部２の各通路２４内に上方から挿通させ、各通路２４の下端から突出した各ピン本体３１の他端部にそれぞれ頭部３２ｂを固着手段によりそれぞれ一体に固着させる。
前記固着手段としては、前述したように、例えば、嵌合、接着剤（接着）、ろう材（ろう付け）等や、これらのうちの任意の２以上の組合せが挙げられる。
このようにして、ガイド部２の各通路２４にそれぞれ各ピン３を可動自在に取り付けることにより、図１〜図３に示す可動式ピンアレイ１が製造される。
【００５２】
次に、各板状体２０を積層するにあたり、対応する挿通孔２１、２１同士を積層方向に一致させる方法（板状体２０の位置決め方法）について説明する。
図９は、各板状体を積層するにあたり、対応する挿通孔同士を積層方向に一致させる方法（板状体の位置決め方法）の一例を説明するための図である。
この方法では、図９に示す板状体２０の位置決め用の治具（位置決め手段）６１を用いる。この治具６１は、四角形状の板状体で構成されたベース（基台）６２と、ベース６２の図９中上側の面（平面）に立設された一対の案内ピン６３、６３とを有している。各案内ピン６３は、それぞれ、ベース６２の対角線上の角部に位置し、そのベース６２の図９中上側の面に対し、略垂直に設けられている。
【００５３】
一方、各板状体２０には、それぞれ、予め、４つの案内孔２７を形成しておく。各案内孔２７は、それぞれ、その板状体２０の各角部に位置する。この場合、各案内孔２７は、それぞれ、対角線上の所定の２つの案内孔２７に対応する前記案内ピン６３を挿通させつつ各板状体２０を積層すると、対応する挿通孔２１、２１同士が積層方向に一致するように形成される。これらの案内孔２７は、それぞれ、例えば、ワイヤー放電加工（放電加工）により形成することができる。
【００５４】
ガイド部２を形成する際は、図９（ａ）に示すように、板状体２０の対角線上の所定の２つの案内孔２７に、それぞれ、治具６１の対応する案内ピン６３を挿通させつつ、ベース６２上に、順次、各板状体２０を積層してゆく。この場合、前述したように、図４（ａ）に示すＳ字状の開口５１の板状体２０と、図４（ｂ）に示す逆Ｓ字状の開口５１の板状体２０とを交互に積み上げるが、これらのうちの一方の板状体２０を複数用意しておき、その板状体２０を裏返して、他方の板状体２０として用いる。
図９（ｂ）に示すように、このようにして、対応する挿通孔２１、２１同士が積層方向に一致し、複数の通路２４が形成されたガイド部２が得られる。そして、ガイド部２は、治具６１から取り外される。
【００５５】
以上説明したように、この可動式ピンアレイ１およびその製造方法によれば、複数の挿通孔２１を有する複数の板状体２０を積層してガイド部２を構成（形成）するので、ガイド部の構造を簡易にすることができ、また、加工、組立てを容易にすることができる。また、製造コストを低減することができ、安価なものを提供することができる。
【００５６】
また、ガイド部２の通路２４を細く、隣接する通路２４、２４間のピッチを狭くすることができ（通路２４を高密度に配置することができ）、ピン３を細く、隣接するピン３、３間のピッチを狭くすることができる（ピン３を高密度に配置することができる）。これにより、この可動式ピンアレイ１を、触覚情報を提示（表示）する触覚ディスプレイ（触覚ディスプレイの表示部）に適用した場合において、微細な凹凸パターンを提示することができる。
【００５７】
また、複数の板状体２０を積層してガイド部２を構成するので、任意の厚さ、任意の形状を有するガイド部２を、容易に形成することができる。
なお、本発明では、ガイド部２の外形（全体形状）は、特に限定されず、ガイド部２の平面視での外形を、例えば、四角形状以外の多角形状（三角形状、五角形状、六角形状、八角形状等）、円形状、半円形状、楕円形状、半楕円形状等としてもよいし、また、この他の形状としてもよい。
【００５８】
また、各通路２４の配列、すなわち、各ピン３の配列は、図示のものに限定されない。
また、板状体２０の挿通孔２１の形成方法は、ワイヤー放電加工に限定されず、他の方法で挿通孔２１を形成してもよい。
また、板状体２０の各挿通孔２１は、それぞれ、繋がっていなくてもよい。
【００５９】
（変形例１）
図１０は、第１実施形態の変形例１にかかる可動式ピンアレイのガイド部を示す斜視図である。
図１０に示すように、この変形例１の可動式ピンアレイ１では、ガイド部２の形成にあたり、各板状体２０を積層した後に、その積層体の側面に接着剤２５を付着させ、積層体を一括して接着（接合）する。図示例では、積層体の対向する１対の側面に接着剤２５を付着させているが、これに限らず、例えば、積層体の４つの側面に接着剤２５を付着させてもよい。
この可動式ピンアレイ１およびその製造方法によれば、板状体２０を１枚ずつ接着する場合と比較して、ガイド部２を容易に製造することができ、また、製造時間を短縮することができる。また、前述した第１実施形態と同様の効果が得られる。
【００６０】
（変形例２）
図１１および図１２は、それぞれ、第１実施形態の変形例２にかかる可動式ピンアレイのガイド部を示す斜視図である。
図１１に示すように、この変形例２にかかる可動式ピンアレイ１では、ガイド部２の形成にあたり、各板状体２０を積層した後に、接合手段（保持手段）として、一対の枠状体（枠）２６、２６を用い、その積層体を積層状態に保持（接合）する。
【００６１】
各枠状体２６は、それぞれ、図１１中上下方向の両端部に係止部２６１、２６１を有し、略コの字断面形状をなしている。
これらの枠状体２６は、前記板状体２０の積層体に対し、その側方（板状体２０の積層方向に対して略垂直な方向）から積層体を挟み込むように取り付けられる。また、各枠状体２６は、それぞれ、その係止部２６１、２６１にて、積層体を板状体２０の積層方向から挟み込み、係止する。このようにして、積層体は、その積層状態にて保持される。
【００６２】
この可動式ピンアレイ１およびその製造方法によれば、板状体２０を１枚ずつ接着する場合と比較して、ガイド部２を容易に製造することができ、また、製造時間を短縮することができる。また、前述した第１実施形態と同様の効果が得られる。
また、この変形例２において、図１２に示すように、枠状体２６が、その係止部２６１、２６１にて、積層体をその側方（板状体２０の積層方向に対して略垂直な方向）から挟み込み、係止するようになっていてもよい。
なお、この変形例２において、枠状体２６の係止部２６１は、図示のものに限定されず、例えば、突起状に設けられた爪部等であってもよい。
【００６３】
（変形例３）
図１３は、第１実施形態の変形例３にかかる可動式ピンアレイのガイド部を示す斜視図である。
図１３に示すように、この変形例３にかかる可動式ピンアレイ１では、前述した板状体２０の位置決め用の治具（位置決め手段）６１を、接合手段（保持手段）としても用いる。
すなわち、ガイド部２を形成する際は、図１３（ａ）に示すように、板状体２０の対角線上の所定の２つの案内孔２７に、それぞれ、治具６１の対応する案内ピン６３を挿通させつつ、ベース６２上に、順次、各板状体２０を積層してゆく。
【００６４】
そして、各板状体２０を積層した後に、図１３（ｂ）に示すように、各案内ピン６３の先端部を、それぞれ、潰す。これにより、積層体は、各ピンにより、それぞれ、板状体２０の積層方向から挟み込まれ、係止される。このようにして、積層体は、その積層状態にて保持される。なお、治具６１は、ガイド部２の一部となる。
この可動式ピンアレイ１およびその製造方法によれば、板状体２０を１枚ずつ接着する場合と比較して、ガイド部２を容易に製造することができ、また、製造時間を短縮することができる。また、前述した第１実施形態と同様の効果が得られる。
【００６５】
（第２実施形態）
次に、第２実施形態について説明する。
図１４は、本発明の可動式ピンアレイの第２実施形態を示す断面図である。
以下、第２実施形態の可動式ピンアレイ１およびその製造方法について、前述した第１実施形態との相違点を中心に説明し、同様の事項については、その説明を省略する。
【００６６】
図１４に示すように、第２実施形態の可動式ピンアレイ１では、ガイド部２の各通路２４の内面（壁面）にそれぞれ複数の凹部５２が形成されるように、各板状体２０が積層されている。
すなわち、ガイド部形成工程において、図１４（ａ）に示すように、各板状体２０は、それぞれ、各挿通孔２１の位置が図１４（ａ）中左側と右側とに交互にずれるように、積層される。
これにより、図１４（ｂ）に示すように、ガイド部２の各通路２４の内面には、それぞれ、ピン３のピン本体３１を中心にして、図１４（ｂ）中左側と右側とに交互に凹部５２が形成される。
これらの凹部５２により、各ピン３のピン本体３１の側面と各通路２４の内面（壁面）との真空吸着がそれぞれ防止（または抑制）され、これにより、各ピン３がそれぞれ円滑に可動（移動）することができる。
【００６７】
また、各凹部５２を、それぞれ例えば、潤滑油等の潤滑剤を貯留する貯留部として利用することができる。すなわち、各凹部５２に、それぞれ、例えば、潤滑油等の潤滑剤を供給し、貯留しておくことにより、ピン３の可動をより円滑に行うことができ、また、その潤滑効果が長期間得られ、これによりピン３の安定した動作が長期的に得られる。
この可動式ピンアレイ１およびその製造方法によれば、前述した第１実施形態と同様の効果が得られる。
なお、この第２実施形態においても、前述した第１実施形態と同様に、前述した変形例１〜３をそれぞれ適用してもよい。
【００６８】
（第３実施形態）
次に、第３実施形態について説明する。
図１５、本発明の可動式ピンアレイの第３実施形態を示す斜視図、図１６は、図１５に示す可動式ピンアレイの側面図、図１７は、図１５に示す可動式ピンアレイの平面図、図１８は、図１５に示す可動式ピンアレイのガイド部を示す平面図である。
【００６９】
以下、第３実施形態の可動式ピンアレイ１およびその製造方法について、前述した第１実施形態との相違点を中心に説明し、同様の事項については、その説明を省略する。
これらの図に示すように、第３実施形態の可動式ピンアレイ１では、そのガイド部２は、複数の板状体４０を、隣り合う（隣接する）板状体４０、４０の間に各ピン３のピン本体３１が挿入（挿着）される複数の通路４１が形成されるように積層してなる積層体を有している。
【００７０】
図１８に示すように、本実施形態では、ガイド部２を構成する各板状体４０の形状（断面形状）は、それぞれ、略波状（略波形）をなしている。
これらの板状体４０は、隣り合う板状体４０、４０において、それぞれ、互いの波の頂部４０１、４０１同士が一致（対応）し、かつ、半周期ずれるように（一方が山のとき他方が谷となるように）、交互に積層される。これにより、隣り合う板状体４０、４０の間に、複数の通路４１が形成される。
【００７１】
この可動式ピンアレイ１およびその製造方法によれば、前述した第１実施形態と同様の効果が得られる。
なお、この第３実施形態においても、前述した第１実施形態と同様に、前述した変形例１〜３をそれぞれ適用してもよい。
また、この第３実施形態では、各板状体４０の形状は、それぞれ、略波状をなしているが、本発明では、これに限らず、他の形状であってもよい。
【００７２】
以上、本発明を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
また、本発明は、前記各実施形態のうちの、任意の２以上の構成（特徴）を組み合わせたものであってもよい。
【図面の簡単な説明】
【図１】本発明の可動式ピンアレイの第１実施形態を示す斜視図。
【図２】図１に示す可動式ピンアレイの側面図。
【図３】図１に示す可動式ピンアレイの平面図。
【図４】図１に示す可動式ピンアレイのガイド部の板状体を示す平面図。
【図５】図１に示す可動式ピンアレイのピンを示す側面図。
【図６】図１に示す可動式ピンアレイの組立斜視図。
【図７】図１に示す可動式ピンアレイのガイド部の組立図。
【図８】図４よりも挿通孔を多く形成した板状体を示す平面図。
【図９】挿通孔同士を積層方向に一致させる方法を説明するための図。
【図１０】変形例１の可動式ピンアレイのガイド部を示す斜視図。
【図１１】変形例２の可動式ピンアレイのガイド部を示す斜視図。
【図１２】変形例２の可動式ピンアレイのガイド部を示す斜視図。
【図１３】変形例３の可動式ピンアレイのガイド部を示す斜視図。
【図１４】本発明の可動式ピンアレイの第２実施形態を示す断面図。
【図１５】本発明の可動式ピンアレイの第３実施形態を示す斜視図。
【図１６】図１３に示す可動式ピンアレイの側面図。
【図１７】図１３に示す可動式ピンアレイの平面図。
【図１８】図１３に示す可動式ピンアレイのガイド部を示す平面図。
【符号の説明】
１……可動式ピンアレイ  ２……ガイド部  ２０……板状体  ２１……挿通孔２２……スリット部  ２３……接着剤  ２４……通路  ２５……接着剤  ２６……枠状体  ２７……案内孔  ３……ピン  ３１……ピン本体  ３２ａ、３２ｂ……頭部  ４０……板状体  ４１……通路  ５１……開口  ５２……凹部  ６１……治具  ６２……ベース  ６３……案内ピン  ２６１……係止部  ４０１……頂部
【図１】
2004354634.tif 000003
【図２】
2004354634.tif 000004
【図３】
2004354634.tif 000005
【図４】
2004354634.tif 000006
【図５】
2004354634.tif 000007
【図６】
2004354634.tif 000008
【図７】
2004354634.tif 000009
【図８】
2004354634.tif 000010
【図９】
2004354634.tif 000011
【図１０】
2004354634.tif 000012
【図１１】
2004354634.tif 000013
【図１２】
2004354634.tif 000014
【図１３】
2004354634.tif 000015
【図１４】
2004354634.tif 000016
【図１５】
2004354634.tif 000017
【図１６】
2004354634.tif 000018
【図１７】
2004354634.tif 000019
【図１８】
2004354634.tif 000020